(57)【要約】      （修正有）【課題】センサによる検出に応じて、ディスプレイの表示を好適に変更する。【解決手段】電子機器の表示部には、あらかじめ記憶されている画像情報または外部から取得された画像情報に基づく表示画像が表示され、電子機器に加えられる加速度、角速度、静電気による電位の変化及び圧力に関する物理情報のうち少なくとも１つ以上の物理情報が検知された場合、検知結果に応じて、表示画像の一部または全部が、異なる表示画像に変更する。【選択図】図３
2017204256.tif 000002
【特許請求の範囲】
【請求項１】
電子機器の制御プログラムにおいて、
あらかじめ記憶されている画像情報または外部から取得された画像情報に基づく表示画像を表示する表示ステップと、
前記電子機器に加えられる加速度、角速度、静電気による電位の変化及び圧力に関する物理情報のうち少なくとも１つ以上の物理情報を検知する検知ステップと、
前記検知ステップの処理により前記物理情報が検知された場合、前記検知ステップによる検知結果に応じて、前記表示画像の一部または全部を、異なる表示画像に変更するように制御する表示制御ステップとをコンピュータに実行させることを特徴とする電子機器の制御プログラム。
【請求項２】
前記表示制御ステップの処理により前記表示画像の一部が変更される場合において、前記表示画像が表示される表示領域のうち少なくと３分の１以上の表示領域に対応する表示画像を異なる表示画像に変更するように制御されることを特徴とする請求項１に記載の電子機器の制御プログラム。
【請求項３】
前記電子機器と１つまたは複数の他の電子機器との間で同期するように制御する同期制御ステップをさらにコンピュータに実行させ、
前記同期制御ステップの処理により前記電子機器と１つまたは複数の他の電子機器との間で同期が確立された後、前記表示制御ステップの処理により、同期された前記電子機器と１つまたは複数の他の電子機器との間において同一の変更タイミング及び同一の表示内容で異なる表示画像に変更されるように、前記表示画像の変更が制御されることを特徴とする請求項１又は２記載の電子機器の制御プログラム。
【発明の詳細な説明】
【技術分野】
【０００１】本発明は、ディスプレイを備えた電子機器における画面切り替え用の制御プログラムに関するものである。
【背景技術】
【０００２】従来におけるスマートフォンの画面表示の画面上の表示の変更では、ユーザが画面を指で触った後に上下にスライド（あるいはフリック）させて、それに応じてスマートフォンが画面をスクロールするか、ユーザが左右にスライド（あるいはフリック）させることで、それに応じてスマートフォンが以前表示した表示画面を切り替えるか、ユーザが画面中のリンクやアイコンをタッチすることでそれに応じてスマートフォンが別画面に切り替える技術が主流であった。【０００３】また、従来からスマートフォンには加速度センサが搭載されており、この加速度センサを活用した画面切替に関する技術として特開２０１２−２３０５７２号公報がある。当該特開２０１２−２３０５７２号公報においては、２画面ディスプレイの携帯端末装置で、ユーザが携帯端末装置を振ると、どちらか一方のディスプレイへ表示するか切り替えられる。また、その他の従来技術として、ユーザがスマートフォンを振ることで、それに応じてスマートフォンが入力文字や操作を取り消す技術（非特許文献１）や、ユーザがスマートフォンを振ることで、それに応じてスマートフォンが画面回転のモードのＯＮ／ＯＦＦを切り替える技術（非特許文献２）や、ユーザがスマートフォンを振ることで、それに応じてスマートフォンが音量のＯＮ／ＯＦＦを切り替える技術（非特許文献３）などもあった。
しかし、いずれの従来技術においても、画面上の表示に直接的に特徴を持たせる効果はなかった。
【先行技術文献】
【特許文献】
【０００４】
【特許文献１】特開２０１２−２３０５７２号公報
【特許文献１】特開２０１２−０９３８９７号公報
【非特許文献】
【０００５】
【非特許文献１】ｈｔｔｐ：／／ｓｂａｐｐ．ｎｅｔ／ａｐｐｎｅｗｓ／ｉｏｓ９−３９−３２９５４
【非特許文献２】ｈｔｔｐ：／／ａｎｄｒｏｎａｖｉ．ｃｏｍ／２０１１／１２／１４９３４５
【非特許文献３】ｈｔｔｐ：／／ａｎｄｒｏｎａｖｉ．ｃｏｍ／２０１３／１０／２９９３５２
【発明の概要】
【発明が解決しようとする課題】
【０００６】これまでのスマートフォンなどの電子機器装置おいて、ユーザが画面上の表示を変更するように操作する場合には、ユーザはディスプレイに一旦触れて、その後に指を上下左右にスライド（あるいはフリック）させて動かすか、画面上の特定の領域部分をタップしなければならず、そのため、ユーザは操作する行為だけで気がそれてしまい、通常よりも画面に集中しなければならなかった。
特に、コンサート会場での観覧や体を動かすようなゲームなどの動的なエンターテイメントにおいてスマートフォンを活用する場合、ユーザは目の前のエンターテイメントから気がそれてしまう。そのため、これらの場合おいてスマートフォンの活用は極めて限定的であった。
【課題を解決するための手段】
【０００７】本発明は、携帯端末やスマートフォンなどの電子機器において、搭載されているセンサ等の検知手段を用いた検知で、直ちにディスプレイに表示されている画面表示を所望の異なる表示画面に変更することを最も主要な特徴とする
第１の発明は、あらかじめ記憶されている画像情報または外部から取得された画像情報に基づく表示画像を表示し、電子機器に加えられる加速度、角速度、静電気による電位の変化及び圧力に関する物理情報のうち少なくとも１つ以上の物理情報を検知する検知し、物理情報が検知された場合、検知結果に応じて、表示画像の一部または全部を、異なる表示画像に変更するように制御する表示制御ステップとをコンピュータに実行させることを特徴とする。【０００８】第１の発明では、携帯端末（１０：実施例において対応する部分を例示する参照符号。以下、同じ。）は表示部であるディスプレイ（３０）などを備え、加速度センサ（４０）やジャイロセンサ（４１）あるいは圧力センサ（４２）などによって加速度や角速度あるいはユーザなどによる押下に伴う圧力が検知され、その検知信号がプロセッサ（２４）に入力されてが検出される。また、プロセッサ（２４）は、表示変更設定部として（Ｓ３）検出された検知信号に応じて、表示部であるディスプレイ（３０）の画面の表示を変更する。たとえば、画面表示が当黄色であった場合に、変更指示によって赤色の画面に変更する。【０００９】第１の発明によれば、加速度センサ（４０）やジャイロセンサ（４１）あるいは圧力センサ（４２）などセンサによる信号検出だけで、ただちにディスプレイ３０（表示部）の表示変更がされるため、電子機器による人の動きに合わせた瞬発的な表現が可能となる。例えば、音楽に合わせた人の動きを活用した操作や表現が可能となる。【００１０】第２の発明は、第１の発明に従属し、表示制御ステップの処理により表示画像の一部が変更される場合において、表示画像が表示される表示領域のうち少なくと３分の１以上の表示領域に対応する表示画像を異なる表示画像に変更するように制御されることを特徴とする。【００１１】第２の発明では、スマートフォンの画面全体の表示領域のうち少なくと３分の１以上の表示領域に対応する表示画像を異なる表示画像に変更することができる。【００１２】第２の発明によれば、画面全体の表示領域のうち少なくと３分の１以上の表示領域に対応する表示画像をつかった印象的な表示変更が可能となる。【００１３】第３の発明は、第１の発明または第２の発明に従属し、電子機器と１つまたは複数の他の電子機器との間で同期するように制御する同期制御ステップをさらにコンピュータに実行させ、同期制御ステップの処理により電子機器と１つまたは複数の他の電子機器との間で同期が確立された後、表示制御ステップの処理により、同期された電子機器と１つまたは複数の他の電子機器との間において同一の変更タイミング及び同一の表示内容で異なる表示画像に変更されるように、表示画像の変更が制御されることを特徴とする。【００１４】第３の発明では、制御部（２４，Ｓ９）が、通信部（２６，２７）を活用した別の使用者との同期や、特定の時刻に合わせた表示変更を表示部に表示変更させることで、その時間に同じ場面を共有する使用者が同じタイミングで表示変更される。【００１５】第３の発明によれば、使用者は、同じタイミングで表示変更がなされるため、例えば、コンサートなどで一体感を得ることが可能となる。
【発明の効果】
【００１６】本発明によれば、スマートフォンなどの電子機器において、搭載されているセンサによる検知で、直ちにディスプレイに表示されている画面表示を変更することができる。
【図面の簡単な説明】
【００１７】
【図１】本発明にかかる電子機器の一実施例であるスマートフォンの電気的構成を示したブロック図である。
【図２】図１に示すスマートフォンの外観を示した外観図である。
【図３】本発明にかかる電子機器の制御プログラムを実行した場合における表示変更処理を説明したフローチャートである。
【図４】図２に示すスマートフォンで本発明にかかる電子機器の制御プログラムを実行した場合におけるディスプレイ上の表示画面の変更に関する概念図である。
【図５】図２に示すスマートフォンで本発明にかかる電子機器の制御プログラムを実行した場合におけるディスプレイ上の表示画面の変更に関する他の概念図である。
【図６】図２に示すスマートフォンで本発明にかかる電子機器の制御プログラムを実行した場合におけるディスプレイ上の表示画面の変更に関する他の概念図である。
【図７】図１のＲＡＭ３４のメモリマップ３００を示す図である。
【発明を実施するための形態】
【００１８】図１は、本発明にかかる電子機器の一実施例であるスマートフォンの電気的構成を示したブロック図である。図１に示されるように、この実施例のスマートフォン１０は、携帯端末の一種であり、ＣＰＵまたはコンピュータと呼ばれるプロセッサ２４を含む。また、このプロセッサ２４には、無線通信回路１４、Ａ／Ｄ１６、Ｄ／Ａ２０、Ｗｉｆｉモジュール２６、Ｂｌｕｅｔｏｏｔｈモジュール２７、表示ドライバ２８、フラッシュメモリ３２、ＲＡＭ３４、タッチパネル制御回路３６、加速度センサ４０および圧力センサ４２が接続される。無線通信回路１４にはアンテナ１２が接続され、Ａ／Ｄ１６にはマイク１８が接続され、Ｄ／Ａ２０にはアンプ（図示せず）を介してスピーカ２２が接続される。また、表示ドライバ２８には、表示部として機能するディスプレイ３０が接続される。そして、タッチパネル制御回路３６にはタッチパネル３８が接続される。
【００１９】プロセッサ２４は、制御用のＩＣであり、スマートフォン１０の全体制御を司る。また、ＲＡＭ３４は、プロセッサ２４の作業領域（描画領域を含む）ないしバッファ領域として用いられる。フラッシュメモリ３２には、スマートフォン１０の文字、画像、音声、音および映像のようなコンテンツのデータが記録される。
【００２０】Ａ／Ｄ１６は、当該Ａ／Ｄ１６に接続されたマイク１８を通して入力される音声ないし音についてのアナログ音声信号を、デジタル音声信号に変換する。Ｄ／Ａ２０は、デジタル音声信号をアナログ音声信号に変換（復号）して、アンプを介してスピーカ２２に与える。したがって、アナログ音声信号に対応する音声ないし音がスピーカ２２から出力される。
【００２１】Ｗｉｆｉモジュール２６は、無腺ＬＡＮなどの無線通信によりインターネットを介して、また、直接の無線通信で他のスマートフォンやパソコン等の電子機器と相互通信が可能である。
【００２２】Ｂｌｕｅｔｏｏｔｈモジュール２７は、Ｂｌｕｅｔｏｏｔｈ通信により他のスマートフォンやパソコン等の電子機器と相互に通信が可能である。
【００２３】表示ドライバ２８は、プロセッサ２４の指示の下、当該表示ドライバ２８に接続されたディスプレイ３０の表示を制御する。また、表示ドライバ２８は表示する画像データを一時的に記憶するＶＲＡＭを含む。そして、プロセッサ２４は、ディスプレイ３０に表示する画像データを、このＶＲＡＭに記憶させる。
【００２４】タッチパネル３８は、ユーザの指などの物体が表面に接近して生じた電極間の静電容量の変化を検出する静電容量方式で、たとえば１本または複数本の指がタッチパネル３８に触れたことを検出する。また、タッチパネル３８は、ディスプレイ３０の画面内で、任意の位置を指示するためのポインティングデバイスである。たとえば、タッチパネル３８は、ユーザによってその表面を指で、押したり、撫でたり、触られたりすることにより操作されると、その操作を検出する。そして、タッチ検出部として機能するタッチパネル制御回路３６は、タッチパネル３８にユーザの指が触れると、その指の位置を特定し、操作された位置を示す座標のデータをプロセッサ２４に出力する。つまり、ユーザ（使用者）は、タッチパネル３８の表面を指で、押したり、撫でたり、触れたりすることによって、操作の方向や図形などをスマートフォン１０に入力することができる。
【００２５】なお、タッチ操作は指だけに限らず、タッチペンなどによって行われてもよい。また、タッチパネル３８の検出方式には、表面型の静電容量方式が採用されてもよいし、抵抗膜方式、超音波方式、赤外線方式および電磁誘導方式が採用されてもよい。
【００２６】加速度センサ４０は、半導体式の３軸の加速度センサであり、スマートフォン１０に生じる（加えられる）加速度を検知し、各軸の加速度データを含む検知信号を生成し、生成された検知信号をプロセッサ２４に出力する。
【００２７】圧力センサ４２は、タッチパネル３８の下部に内蔵されており、タッチパネルが一定の圧力で押されたことを検知し、それに応じて圧力データを含む検知信号を生成し、生成された検知信号をプロセッサ２４に出力する。
【００２８】無線通信回路１４は、ＣＤＭＡ方式での無線通信を行うための回路である。たとえば、ユーザ（使用者）が電話発信を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００２９】通常の通話処理について具体的に説明すると、相手である他のユーザの電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ２０によってアナログ音声信号に変換された後、スピーカ２２から出力される。一方、マイク１８を通して取り込まれた送話音声信号は、Ａ／Ｄ１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００３０】また、相手の電話機からの発呼信号がアンテナ１２によって受信されると、無線通信回路１４は、電話着信（着呼と言うこともある。）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２４は、図示しないスピーカから着信音（着信メロディ、着信音声と言うこともある。）を出力させる。さらに、プロセッサ２４は電話着信をユーザに通知するために、スマートフォン１０を振動させたり、図示しないＬＥＤを発光させたりする。
【００３１】そして、ユーザ（使用者）が応答操作を行うと、無線通信回路１４は、プロセッサ２４の指示の下、電話着信処理を実行し、通信可能状態が確立され、プロセッサ２４は上述した通常の通話処理を実行する。
【００３２】また、通話可能状態に移行した後に通話終了操作が行われると、プロセッサ２４は、無線通信回路１４を制御して、通話相手に通話終了信号を送信する。通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００３３】図２（Ａ）は、スマートフォン１０の表面の外観を示す外観図であり、図２（Ｂ）はスマートフォン１０の裏面の外観を示す外観図である。図２（Ａ）に示されるように、スマートフォン１０は、ストレート型の形状をしており、平面矩形の筐体Ｃを有する。図示しないマイク１８は、筐体Ｃに内蔵され、内蔵されたマイク１８に通じる開口ＯＰ２は筐体Ｃの長さ方向一方の表面に設けられる。同じく、図示しないスピーカ２２は、筐体Ｃに内蔵され、内蔵されたスピーカ２２に通じる開口ＯＰ１は、筐体Ｃの長さ方向他方の表面に設けられる。ディスプレイ３０は、モニタ画面が筐体Ｃの表面側から見えるように取り付けられる。また、ディスプレイ３０にはタッチパネル３８が設けられる。そして、スマートフォン１０の表面端部の略中央には、圧力センサ４２が設けられる。
【００３４】なお、図２（Ａ），（Ｂ）において、加速度センサ４０は、スマートフォン１０の縦方向（Ｙ軸方向）、横方向（Ｘ軸方向）および厚み方向（Ｚ軸方向）の３軸で各々の加速度を検出（検知）する。また、アンテナ１２、無線通信回路１４、Ａ／Ｄ１６、Ｄ／Ａ２０、プロセッサ２４、表示ドライバ２８、フラッシュメモリ３２、ＲＡＭ３４、タッチパネル制御回路３６および加速度センサ４０は筐体Ｃに内蔵されているため、図２（Ａ），（Ｂ）では図示されない。
【００３５】図７はＲＡＭ３４のメモリマップ３００を示す図である。ＲＡＭ３４のメモリマップ３００には、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶されてからプロセッサ２４によって処理される。
【００３６】プログラム記憶領域３０２には、スマートフォン１０を動作させるためのプログラムが記憶されている。たとえば、スマートフォン１０を動作させるためのプログラムには、本発明にかかる電子機器の制御プログラムとしての表示変更プログラム３１０および同期変更表示プログラム３１２などから構成されている。表示変更プログラム３１０は、ディスプレイ３０の画面表示の変更を制御するプログラムである。同期表示変更プログラム３１２は、複数のユーザ（使用者）が周囲にいる場合に、複数のユーザ（使用者）がそれぞれ保有する各スマートフォン１０間でディスプレイ３０の画面表示の変更を同期させて（特に、表示変更のタイミングと変更される表示内容を同期させて）表示させるように制御するプログラムである。
【００３７】なお、図示は省略するが、スマートフォン１０を動作させるためのプログラムには、電話着信状態を通知するためのプログラムおよび通話状態を確立するためのプログラムなどが含まれる。
【００３８】データ記憶領域３０４には、加速度バッファ３３０、ジャイロバッファ３３４および圧力バッファ３３６が設けられると共に、画像データ３３２が記憶される。また、データ記憶領域３０４には、加速度フラグ３３８、ジャイロフラグ３４０、圧力フラグ３４２なども設けられる。
【００３９】加速度バッファ３３０には、加速度センサ４０が出力する加速度データが一時的に格納される。圧力バッファ３３６は、タッチパネル３８を強く押圧させることで検知する圧力センサ４２が出力する静電容量値を一時的に格納するバッファである。画像データ３３４は、ディスプレイ３０に表示される画像に関する画像データ（画像情報）であり、例えば図４ないし図６に示されるように表示変更がされる際に表示の変更をするための画像データなどから構成されるデータである。
【００４０】プロセッサ２４は、ｉＯＳ、Ａｎｄｒｏｉｄ（登録商標）およびＲＥＸなどのＬｉｎｕｘ（登録商標）ベースのＯＳや、その他のＯＳの制御下で、図３に示す表示変更処理などを含む、複数のタスクを並列的に処理する。
【００４１】図３は画像表示変更処理のフロー図である。たとえば、ユーザにより本発明にかかる電子機器の制御プログラムとしての画像表示変更処理プログラムを実行するとの指示が入力されると、画像表示変更処理かの実行が開始される。
【００４２】ステップＳ１では、図４（ａ）のようにディスプレイ３０の画面上に所定の表示画面が表示される。すなわち、プロセッサ２４は、フラッシュメモリ３２にあらかじめ記憶されている画像データ（画像情報）を読み出すとともに、表示ドライバ２８及びディスプレイ３０を制御し、読み出された画像データ（画像情報）に基づき、図４（ａ）のようにディスプレイ３０の画面上に所定の表示画面に表示させる。ディスプレイ３０は、プロセッサ２４の制御に従い、読み出された画像データ（画像情報）に基づく所定の表示画面を表示する。なお、外部から取得された画像情報でもよい。
【００４３】ステップＳ２で、加速度センサ４０からの検知がされれば、ステップＳ２において”ＹＥＳ”と判定され、図４（ａ）の状態から図４（ｂ）の表示画面に変更されるように、画面の表示が別のページ（異なる画像情報に基づく画像）に変更される。すなわち、ユーザがスマートフォン１０をシェイクしたりして動かした場合、加速度センサ４０は、スマートフォン１０に生じる（加えられる）加速度を検知し、各軸の加速度データを含む検知信号を生成し、生成された検知信号をプロセッサ２４に出力する。
プロセッサ２４は、加速度センサ４０からの検知信号の入力を検出すると、センサからの検知信号入力があったと判定する。プロセッサ２４がセンサ（この場合は、加速度センサ４０）からの検知信号入力があったと判定した場合、プロセッサ２４はステップＳ３で、ステップＳ１において、図４（ａ）に示されるようにディスプレイ３０の画面上の表示領域に表示されている画像データに基づく画像の一部または全部を変更するために、以下の制御をする。すなわち、プロセッサ２４は、フラッシュメモリ３２にあらかじめ記憶されている図４（ｂ）の画像に関する画像データ（画像情報）を読み出すとともに、表示ドライバ２８及びディスプレイ３０を制御し、読み出された図４（ｂ）に関する画像データ（画像情報）に基づき、図４（ｂ）のようにディスプレイ３０の画面上に所定の表示画面に表示させ、図４（ａ）の画像から図４（ｂ）の画像（異なる画像）に変更するように制御する。ディスプレイ３０は、プロセッサ２４の制御に従い、読み出された図４（ｂ）に関する画像データ（画像情報）に基づく所定の表示画面を表示する。
ここでは、図４（ａ）の表示画像から図４（ｂ）の表示画像に変更することにより異なる表示画像（つまり、別のページ）に変更するようにしたが、このような場合に限られず、変更後の画像に関する画像情報に含まれる輝度や明度に基づき、変更前後において表示画像そのものを変更せずに画面の輝度や明度等の画面表示の設定を変更することで表現の変化をすることでもよい。また図５に示されるように、図４（ａ）の表示画像上に図５に示される画像を重畳して表示させるようにしてもよく、これにより画面中に別の画像を表示させることで、表示変化をしてもよい。
ステップＳ２でＮＯであれば、図４（ａ）の状態が継続される。
【００４４】図３の画面表示変更処理は、画像表示変更処理プログラムを終了させることで終了する。また、処理を終了するモードを追加することで、終了処理をしてもよいし、スマートフォン１０の電源を切ることで終了させてもよい。
【００４５】以上の説明から分かるように、スマートフォン１０はディスプレイ３０および加速度センサ４０を備える。また、ディスプレイ３０の画面は、プロセッサ２４の制御により、加速度センサ４０によって検出されたスマートフォン１０の動きに応じて表示変更設定がなされる。これにより、スマートフォンなどの本発明にかかる電子機器において、搭載されているセンサ（例えば加速度センサ）等の検知手段への一回の検知で、直ちにディスプレイに表示されている画面表示を変更することができる。その結果、ユーザは、コンサートやゲームの音楽に合わせて電子機器に表示される画像表示（画面表示）を変えることができ、電子機器における画像表示の変更とユーザの動きとを連動した表現をすることができる。以上のことから、電子機器における利便性を向上させることができる。
【００４６】他の実施例として、図６のように、本発明にかかる電子機器の制御プログラムとしての同期表示・変更プログラム３１２を用いて、複数の使用者で表示変更タイミング及び変更する表示画像を一致させるようにしてもよい。これにより、スポーツやコンサートなどで複数及び多数の使用者のスマートフォンの表示変更が一気に行われ、一体感がうまれる。
【００４７】なお、図３を用いて説明した画像表示変更処理においては検知手段であるセンサとして、加速度センサ４０を用いるようにしたが、このような場合に限られず、電子機器に加えられる加速度、角速度、静電気による電位の変化及び圧力に関する物理情報を検知するセンサであればよい。すなわち、他の実施例では、加速度センサ４０以外に、ジャイロセンサ４１が利用されてもよい。この場合、ジャイロセンサ４１が出力する角速度変化によってか動きが検出される。また、タッチパネル３８へ指を触れることによって検出することで対応してもよい。また、圧力センサ４２を利用してもよい。この場合は圧力センサが出力する圧力変化によって検出される。また、これらのセンサを複数同時に使用するようにしてもよい。
【００４８】また、スマートフォン１０の通信方式はＣＤＭＡ方式であるが、ＬＴＥ（Ｌｏｎｇ  Ｔｅｒｍ  Ｅｖｏｌｕｔｉｏｎ）方式、Ｗ−ＣＤＭＡ方式、ＧＳＭ方式、ＴＤＭＡ方式、ＦＤＭＡ方式およびＰＨＳ方式などが採用されてもよい。さらに、ディスプレイ３０にはＬＣＤモニタが利用されるが、有機ＥＬパネルなどの他の表示装置が利用されてもよい。
【００４９】また、本発明にかかる電子機器の制御プログラムとしての表示変更プログラム３１０および同期表示・変更プログラム３１２は、データ配信用のサーバのＨＤＤやＳＳＤなどのストレージに記憶され、ネットワークを介してスマートフォン１０に配信されてもよい。また、ＣＤ，ＤＶＤ，ＢＤ（Ｂｌｕ−ｒａｙ  Ｄｉｓｃ）などの光学ディスク、ＵＳＢメモリおよびメモリカードなどの記憶媒体にこれらのプログラムを記憶させた状態で、その記憶媒体が販売または配布されてもよい。そして、上記したサーバや記憶媒体などを通じてダウンロードされた、表示変更プログラム３１０および同期表示変更プログラム３１２が、本実施例と同等の構成のスマートフォンにインストールされた場合、本実施例と同等の効果が得られてもよい。
【００５０】さらに、本実施例は、スマートフォン１０のみに限らず、携帯電話およびタブレットなどに適用されてもよい。
そして、本明細書中で挙げた、所定時間などの具体的な数値は、いずれも単なる一例であり、製品の仕様などの必要に応じて適宜変更可能である。
【産業上の利用可能性】
【００５１】スマートフォンで、この発明をコンサートやライブパフォーマンス、カラオケなどで、新しい楽しみを得ることができる。ユーザが一体感をもつことができ、新しい楽しみをえることができる。
【符号の説明】
【００５２】１０  ．．．スマートフォン
１２  ．．．アンテナ
１４  ．．．無線通信回路
２４  ．．．プロセッサ
２６  ．．．Ｗｉｆｉモジュール
２７  ．．．Ｂｌｕｅｔｏｏｔｈモジュール
３４  ．．．ＲＡＭ
３６  ．．．タッチパネル制御回路
３８  ．．．タッチパネル
４０  ．．．加速度センサ
４１  ．．．ジャイロセンサ
４２  ．．．圧力センサ
【図１】
2017204256.tif 000003
【図２】
2017204256.tif 000004
【図３】
2017204256.tif 000005
【図４】
2017204256.tif 000006
【図５】
2017204256.tif 000007
【図６】
2017204256.tif 000008
【図７】
2017204256.tif 000009